(57)【要約】【課題】大スズメ蜂のような強力な突刺力を有する害虫を駆除・捕獲する際にも使用に耐え得る防虫用手袋を提供する。【解決手段】防虫用手袋(100)は、最も外側に位置する表面層(101)と、最も内側に位置する下面層(102)と、表面層と下面層との間に挟まれた中間層(103)と、表面層と中間層とを相互に接着する第一接着層(104)と、下面層と中間層とを相互に接着する第二接着層(105)と、からなる。【選択図】    図２
0003158462.tif 000002
【実用新案登録請求の範囲】
【請求項１】
防虫用手袋であって、
最も外側に位置する表面層と、
最も内側に位置する下面層と、
前記表面層と前記下面層との間に挟まれた中間層と、
からなり、
前記表面層と前記下面層とはそれらの外縁において相互に縫合されている防虫用手袋。
【請求項２】
前記表面層と前記中間層とを相互に接着する第一接着層と、前記下面層と前記中間層とを相互に接着する第二接着層と、をさらに備えることを特徴とする請求項１に記載の防虫用手袋。
【請求項３】
防虫用手袋であって、
最も外側に位置する表面層と、
最も内側に位置する下面層と、
前記表面層と前記下面層との間に挟まれた中間層と、
前記表面層と前記中間層とを相互に接着する第一接着層と、
前記下面層と前記中間層とを相互に接着する第二接着層と、
からなる防虫用手袋。
【請求項４】
前記中間層はゴムまたは繊維からなるものであることを特徴とする請求項１乃至３の何れか一項に記載の防虫用手袋。
【請求項５】
前記表面層及び前記下面層の少なくとも一方は皮革からなるものであることを特徴とする請求項１乃至４の何れか一項に記載の防虫用手袋。
【請求項６】
少なくとも手の甲側においては、前記中間層はゴム及び繊維の少なくとも何れか一方を含む２層構造からなるものであることを特徴とする請求項１乃至５の何れか一項に記載の防虫用手袋。
【考案の詳細な説明】
【技術分野】
【０００１】
本考案は防虫用手袋に関する。
【背景技術】
【０００２】
これまでに防虫専用の手袋は特に提案されていないが、例えば、特開２００４−１６２２２２号公報に記載されている手袋を防虫用手袋として使用することが可能である。
【０００３】
同公報に記載されている手袋は、編手袋であって、その表面にゴムまたは樹脂皮膜が設けられており、指先側から手首側への方向における５０％伸長時の引張荷重が１５−６０Ｎ／ｃｍであり、かつ、突き刺し強さが２５−７０Ｎである。
【考案の開示】
【考案が解決しようとする課題】
【０００４】
上記の手袋を用いることにより、例えば、ガラスの破片、金属性物品の凸状先端などが手に突き刺さることを防止することが可能である。
【０００５】
上述のように防虫専用の手袋はこれまでに開発されておらず、例えば、上記公報の手袋が防虫用手袋として代用されてきた。
【０００６】
防虫用手袋は、害虫駆除・捕獲、特に、蜂類の駆除・捕獲を行う際に多用される。蜂類の中でも大スズメ蜂の針は大きな突刺力を有しており、さらに、大スズメ蜂の針は毒針である。このため、大スズメ蜂を駆除または捕獲する際に使用される防虫用手袋は大スズメ蜂の針を通さない強力なものであることが要求される。
【０００７】
しかしながら、上記公報に記載の手袋を防虫用手袋として使用しても、大スズメ蜂の針は細く鋭いため、容易に大スズメ蜂の針が貫通してしまうものであった。すなわち、上記公報に記載の手袋は大スズメ蜂の駆除・捕獲に際しては使用に耐えないものであった。
【０００８】
本考案は、このような従来の手袋、特に、防虫用手袋における問題点に鑑みてなされたものであり、大スズメ蜂のような強力な突刺力を有する害虫を駆除・捕獲する際にも使用に耐え得る防虫用手袋を提供することを目的とする。
【課題を解決するための手段】
【０００９】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１０】
上記の目的を達成するため、本考案は、防虫用手袋（１００）であって、最も外側に位置する表面層（１０１）と、最も内側に位置する下面層（１０２）と、前記表面層（１０１）と前記下面層（１０２）との間に挟まれた中間層（１０３）と、からなり、前記表面層（１０１）と前記下面層（１０２）とはそれらの外縁において相互に縫合されている防虫用手袋（１００）を提供する。
【００１１】
前記表面層（１０１）と前記中間層（１０３）とを相互に接着する第一接着層（１０４）と、前記下面層（１０２）と前記中間層（１０３）とを相互に接着する第二接着層（１０５）と、をさらに備えることが好ましい。
【００１２】
さらに、本考案は、防虫用手袋（１００）であって、最も外側に位置する表面層（１０１）と、最も内側に位置する下面層（１０２）と、前記表面層（１０１）と前記下面層（１０２）との間に挟まれた中間層（１０３）と、前記表面層（１０１）と前記中間層（１０３）とを相互に接着する第一接着層（１０４）と、前記下面層（１０２）と前記中間層（１０３）とを相互に接着する第二接着層（１０５）と、からなる防虫用手袋（１００）を提供する。
【００１３】
前記中間層（１０３）は、例えば、ゴムまたは繊維からなる。繊維には化学繊維と金属繊維とが含まれる。
【００１４】
前記表面層（１０１）及び前記下面層（１０２）の少なくとも一方は、例えば、皮革からなる。
【００１５】
少なくとも手の甲側においては、前記中間層（１０３）はゴムの２層構造（１０３Ａ、１０３Ｂ）、繊維の２層構造またはゴム及び繊維の２層構造からなるものであることが好ましい。
【考案の効果】
【００１６】
本考案に係る防虫用手袋によれば、表面層／中間層／下面層（例えば、皮／ゴム／皮）の３層構造を有するため、大スズメ蜂のような細く鋭く、かつ、突刺力の大きい針を有する蜂類を駆除・捕獲する際に使用しても、針が手袋を貫通することを防止することができ、使用者の安全を確保することができる。
【考案を実施するための最良の形態】
【００１７】
（第一の実施形態）
図１（Ａ）は本考案の第一の実施形態に係る防虫用手袋１００を手の平側から見たときの平面図、図１（Ｂ）は本考案の第一の実施形態に係る防虫用手袋１００を手の甲側から見たときの平面図である。
【００１８】
図２は本実施形態に係る防虫用手袋１００を構成する生地の縦断面図である。
【００１９】
図２に示すように、本実施形態に係る防虫用手袋１００を構成する生地は、最も外側に位置する表面層１０１と、最も内側に位置する下面層１０２と、表面層１０１と下面層１０２との間に挟まれた中間層１０３と、表面層１０１と中間層１０３とを相互に接着する第一接着層０１４と、下面層１０２と中間層１０３とを相互に接着する第二接着層１０５と、から構成されている。
【００２０】
表面層１０１は動物の皮（例えば、豚皮）からなる。
【００２１】
表面層１０１と同様に、下面層１０２も動物の皮（例えば、豚皮）からなる。
【００２２】
中間層１０３は合成ゴム（例えば、ニトリルからなる合成ゴム）からなる。
【００２３】
第一接着層１０４及び第二接着層１０５はポリウレタン系接着剤からなる。
【００２４】
以上のような構造を有する本実施形態に係る防虫用手袋１００によれば、皮／ゴム／皮の３層構造を有するため、大スズメ蜂のような細く鋭く、かつ、突刺力の大きい針を有する蜂類を駆除・捕獲する際に使用しても、針が手袋を貫通することを防止することができ、使用者の安全を確保することができる。
【００２５】
なお、本実施形態に係る防虫用手袋１００は上記の構造に限定されるものではなく、種々の改変が可能である。
【００２６】
例えば、本実施形態に係る防虫用手袋１００においては、表面層１０１及び下面層１０２の双方が皮からなるものとされているが、何れか一方のみを皮からなるものとすることもできる。
【００２７】
また、表面層１０１及び下面層１０２の材質は皮に限定されるものではなく、突刺力に対して大きな抵抗を有する材料である限りにおいて、他の材料を使用することも可能である。
【００２８】
また、本実施形態に係る防虫用手袋１００においては、中間層１０３は合成ゴムからなるものとされているが、他の材料を使用することも可能である。
【００２９】
また、本実施形態に係る防虫用手袋１００においては、中間層１０３は合成ゴムからなるものとしているが、合成ゴムに代えて、繊維を用いることもできる。繊維には化学繊維と金属繊維とが含まれる。化学繊維としては、例えば、ポリエステル繊維があり、金属繊維としては、例えば、ステンレス繊維がある。
【００３０】
（第二の実施形態）
図３は本考案の第二の実施形態に係る防虫用手袋２００を構成する生地の縦断面図である。
【００３１】
第一の実施形態に係る防虫用手袋１００においては、中間層１０３は一層の合成ゴムから構成されているのに対して、本実施形態に係る防虫用手袋２００においては、図３に示すように、中間層１０３は、二層のゴム層１０３Ａ、１０３Ｂと、二層のゴム層１０３Ａ、１０３Ｂを相互に接着する接着剤からなる接着層１０３Ｃと、から構成されている。
【００３２】
このように、中間層１０３をゴムの２層構造からなるものとすることにより、蜂類の突刺力に対する防御力を向上させることができる。
【００３３】
さらに、ゴムの２層構造からなる中間層１０３は、例えば、手の甲側の領域２１０（図１（Ａ）及び図１（Ｂ）において破線で囲まれた領域）のみにおいて形成することも可能である。
【００３４】
このように手の甲側の領域２１０のみにおいて中間層１０３をゴムの２層構造からなるものとすることにより、手の甲側及び手の平側の双方において中間層１０３をゴムの２層構造からなるものとした場合と比較して、本実施形態に係る防虫用手袋２００を使用した際の手の動きの自由度の低下を低減させることが可能である。
【００３５】
また、手の平側は手を握りしめておくことにより、蜂類の針からの防御が可能であるため、手の甲側の領域２１０のみにおいて中間層１０３をゴムの２層構造からなるものとすることは実用にも即している。
【００３６】
なお、本実施形態に係る防虫用手袋２００においては、中間層１０３は二層のゴム層１０３Ａ、１０３Ｂを有するものとして構成されているが、二層のゴム層１０３Ａ、１０３Ｂに代えて、二層の繊維層を用いることも可能である。第一の実施形態の場合と同様に、繊維には化学繊維と金属繊維とが含まれる。あるいは、二層のゴム層１０３Ａ、１０３Ｂに代えて、ゴム層及び繊維層を選択することも可能である。
【００３７】
（第三の実施形態）
図４（Ａ）は本考案の第三の実施形態に係る防虫用手袋３００を構成する生地の縦断面図である。
【００３８】
本考案の第一の実施形態に係る防虫用手袋１００においては、表面層１０１と中間層１０３、さらには、下面層１０２と中間層１０３とはそれぞれ第一接着層１０４及び第二接着層１０５を介して相互に接着されているが、第一接着層１０４及び第二接着層１０５を用いることは必ずしも必要ではない。
【００３９】
本実施形態に係る防虫用手袋３００においては、第一接着層１０４及び第二接着層１０５を用いることに代えて、表面層１０１と下面層１０２とがそれらの外縁において相互に縫合されており、これにより、表面層１０１、中間層１０３及び下面層１０２が相互に連結されている。
【００４０】
例えば、図４（Ａ）に示すように、表面層１０１と下面層１０２とはそれらの外縁において糸１０６で相互に縫合される。
【００４１】
なお、中間層１０３は、表面層１０１及び下面層１０２に対して縫合されることなく、表面層１０１と下面層１０２との間に単に挟み込まれた状態になっている。
【００４２】
図４（Ｂ）は本考案の第三の実施形態の変形例に係る防虫用手袋３５０を構成する生地の縦断面図である。
【００４３】
上記の第三の実施形態に係る防虫用手袋３００においては、第一接着層１０４及び第二接着層１０５を用いることなく、表面層１０１、中間層１０３及び下面層１０２を相互に連結しているが、第一接着層１０４及び第二接着層１０５を追加的に用いることも可能である。
【００４４】
本変形例に係る防虫用手袋３５０においては、図４（Ｂ）に示すように、表面層１０１と中間層１０３とは第一接着層１０４を介して相互に接着され、さらに、下面層１０２と中間層１０３とは第二接着層１０５を介して相互に接着されている。
【００４５】
このように、第一接着層１０４及び第二接着層１０５を追加的に用いることにより、表面層１０１、中間層１０３及び下面層１０２間の連結をさらに強固にすることができる。
【図面の簡単な説明】
【００４６】
【図１】図１（Ａ）は本考案の第一の実施形態に係る防虫用手袋を手の平側から見たときの平面図、図１（Ｂ）は本考案の第一の実施形態に係る防虫用手袋を手の甲側から見たときの平面図である。
【図２】本考案の第一の実施形態に係る防虫用手袋を構成する生地の縦断面図である。
【図３】本考案の第二の実施形態に係る防虫用手袋を構成する生地の縦断面図である。
【図４】図４（Ａ）は本考案の第三の実施形態に係る防虫用手袋を構成する生地の縦断面図であり、図４（Ｂ）は本考案の第三の実施形態の変形例に係る防虫用手袋を構成する生地の縦断面図である。
【符号の説明】
【００４７】
１００  本考案の第一の実施形態に係る防虫用手袋
１０１  表面層
１０２  下面層
１０３  中間層
１０４  第一接着層
１０５  第二接着層
１０６  糸
２００  本考案の第一の実施形態に係る防虫用手袋
１０３Ａ、１０３Ｂ  ゴム層
１０３Ｃ  接着層
３００  本考案の第三の実施形態に係る防虫用手袋
３５０  本考案の第三の実施形態の変形例に係る防虫用手袋
【図１】
0003158462.tif 000003
【図２】
0003158462.tif 000004
【図３】
0003158462.tif 000005
【図４】
0003158462.tif 000006